(57)【要約】【課題】組立が容易で、使い勝手の良い組立式テーブルを提供する。【解決手段】三本の脚部１１２〜１１４を有する自立可能な三脚構造のスタンド１１と、複数組のスタンド１１の上に跨って分離可能に載置される天板１２からなるため、組立や配置レイアウトの自由度を大きくすることができる。スタンド１１の上端には、支持部として、吸盤１４が取り付けられ、天板１２が、この吸盤１４を介してスタンド１１上に支持される。【選択図】図１
0003115038.tif 000002
【実用新案登録請求の範囲】
【請求項１】
三本の脚部を有する自立可能な三脚構造のスタンドと、このスタンドの上に分離可能に載置される天板からなることを特徴とする組立式テーブル。
【請求項２】
天板が、複数組のスタンドの上に跨って載置されることを特徴とする請求項１に記載の組立式テーブル。
【請求項３】
スタンドの上端に、三角形の頂点をなすように三つの支持部が設けられ、天板が、この支持部を介して支持されることを特徴とする請求項１又は２に記載の組立式テーブル。
【請求項４】
スタンドの上端に、支持部として、複数のゴムマウント、吸盤、又はビスが選択的に取り付けられ、天板が、この支持部を介して支持されることを特徴とする請求項１又は３に記載の組立式テーブル。
【考案の詳細な説明】
【技術分野】
【０００１】
本考案は、組立式のテーブルに関するものである。
【背景技術】
【０００２】
従来から、使用形態のバリエーションを増やすことのできる組立式テーブルは、種々の構造のものが提案されており、その一種として、例えば下記の特許文献１のようなものが知られている。
【特許文献１】特開２０００−２８７７５９
【０００３】
しかしながら、この種の組立式テーブルは、天板を支持するスタンドが自立できず、組立作業が煩雑であるといった問題が指摘される。
【考案の開示】
【考案が解決しようとする課題】
【０００４】
本考案は、以上のような点に鑑みてなされたものであって、その技術的課題とするところは、組立が容易で、しかも使い勝手の良い組立式テーブルを提供することにある。
【課題を解決するための手段】
【０００５】
上述した技術的課題を有効に解決するための手段として、請求項１の考案に係る組立式テーブルは、三本の脚部を有する自立可能な三脚構造のスタンドと、このスタンドの上に分離可能に載置される天板からなることを特徴とするものである。
【０００６】
請求項２の考案に係る組立式テーブルは、請求項１に記載の構成において、天板が複数組のスタンドに跨って載置されることを特徴とするものである。
【０００７】
請求項３の考案に係る組立式テーブルは、請求項１又は２に記載の構成において、スタンドの上端に、三角形の頂点をなすように三つの支持部が設けられ、天板が、この支持部を介して支持されることを特徴とするものである。
【０００８】
請求項４の考案に係る組立式テーブルは、請求項１又は３に記載の構成において、スタンドの上端に、支持部として、複数のゴムマウント、吸盤、又はビスが選択的に取り付けられ、天板が、この支持部を介して支持されることを特徴とするものである。
【考案の効果】
【０００９】
請求項１〜４の考案に係る組立式テーブルによれば、スタンドが三脚構造によって自立可能であるため、組立が容易であり、しかも天板がスタンド上に分離可能に載置されるものであるため、組立や配置レイアウトの自由度を大きくすることができる。
【００１０】
請求項２の考案に係る組立式テーブルによれば、面積の広い天板を安定して支持することができ、各スタンドの向きによって、天板の下側において使用者の足元となる広いスペースを確保することができる。
【００１１】
請求項３の考案に係る組立式テーブルによれば、天板がスタンドの上に三点支持されるため、安定的に支持することができる。また、長い天板を複数組のスタンドで支持する場合、特定の支持部同士が互いに近接するように各スタンドを配置することによって、天板に対する支持強度を向上することができる。
【００１２】
請求項４の考案に係る組立式テーブルによれば、天板が、ガラスなどのように表面の平滑な材質からなるものである場合には、吸盤によってしっかり固定することができ、しかもこの吸盤が衝撃を緩和する支持マウントとして機能する。また、天板が木材からなるものである場合は、ビスを介してしっかり固定することができる。
【考案を実施するための最良の形態】
【００１３】
以下、本考案に係る組立式テーブルの好ましい実施の形態について、図面を参照しながら説明する。まず図１は、本考案に係る組立式テーブルの第一の形態を示す斜視図、図２は部分断面図である。
【００１４】
図１に示される組立式テーブル１は、一対のスタンド１１，１１と、このスタンド１１，１１の上に跨って、分離可能に載置される天板１２からなる。スタンド１１は、断面が円形のスチールパイプで製作されたものであって、支持梁部１１１と、その両端から曲げ加工により形成された互いに平行な一対の脚部１１２，１１３と、上端が支持梁部１１１の中間位置に溶接により一体化され、前記脚部１１２，１１３に対して適当な傾斜角度θ（例えばθ＝27度程度）をなして延びる脚部１１４とを有する三脚構造となっている。
【００１５】
各スタンド１１は、三本の脚部１１２〜１１４の高さが互いに等しく（例えば700ｍｍ程度）、その下端部１１２ａ〜１１４ａが三角形の頂点をなす位置で床面上に当接されるものであるため、自立可能となっている。また、天板１２は透明なガラス板からなるものであって、平面形状が略長方形（例えば長辺が1800ｍｍ程度、短辺が800ｍｍ程度）をなしている。
【００１６】
各スタンド１１における支持梁部１１１の左右両端近傍には、図２に示されるように、それぞれ上下に貫通した小孔１１１ａ，１１１ｂが開設されている。この小孔１１１ａ，１１１ｂは、請求項３又は４に記載された支持部に相当するビス１３の軸部１３ａを挿通可能であり、このうち下側の小孔１１１ｂは、前記ビス１３の頭部１３ｂに対する座面をなす。
【００１７】
また、図２における参照符号１４は、ゴム状弾性材料によって成形された吸盤である。この吸盤１４は、請求項３又は４に記載された支持部に相当するものであって、皿状の吸盤本体１４ａと、その凸面側の中央部から突出した首部１４ｂと、その先端側に形成された頭部１４ｃと、この頭部１４ｃと首部１４ｂの間に形成された掛合段部１４ｄとを有するものであって、頭部１４ｃを、スタンド１１における支持梁部１１１の上側の小孔１１１ａに、強引に圧入することによって、この頭部１４ｃより小径の首部１４ｂが小孔１１１ａに嵌まり込み、掛合段部１４ｄ（頭部１４ｃ）によって抜け止めされた状態に装着することができるようになっている。
【００１８】
以上の構成を備える組立式テーブル１は、一対のスタンド１１，１１を、天板１２の大きさを考慮して適当な間隔で配置し、このスタンド１１，１１の上端の、略水平かつ互いに略平行な支持梁部１１１，１１１の上に跨って、天板１２を載置することにより、容易に組み立てることができる。この場合、スタンド１１，１１は、図１に示されるように、脚部１１４同士が近接する向きに配置すれば、例えば使用者が天板１２の長辺側あるいは短辺側に不図示の椅子を置いて着座したときに、使用者の足元に所要のスペースが確保されるので、脚部１１４，１１４が邪魔にならない。
【００１９】
また、予め支持梁部１１１，１１１に、それぞれ吸盤１４（各二個、計四個）を取り付けておくことによって、この吸盤１４の吸盤本体１４ａに、ガラス板からなる天板１２の下面が吸着されるので、天板１２がスタンド１１，１１上で不用意にずれないように、しっかり固定することができる。しかもこの吸盤１４は、ゴム状弾性材料からなるものであるため、僅かな寸法の誤差による天板１２のガタつきを吸収する機能、及び天板１２に加わる衝撃を吸収する機能を奏する。
【００２０】
なお、図２に示されるスタンド１１の支持梁部１１１の小孔１１１ａには、支持部として、吸盤１４の代わりにゴム状弾性材料からなるマウント部材（不図示）を取り付けても良い。この場合は、天板１２に対する吸着性はないが、ゴム状弾性材料の滑り止め作用によって天板１２のずれを防止することができ、天板１２のガタつきを吸収する機能、及び天板１２に加わる衝撃を吸収する機能を奏する。また、天板１２が木材からなるものである場合は、支持梁部１１１に開設した小孔１１１ａ，１１１ｂに、ビス１３の軸部１３ａを下側から挿通して、天板１２の下面にねじ込むことにより、天板１２を固定することができる。これらの変更は、後述する各形態についても同様に可能である。
【００２１】
次に図３は、本考案に係る組立式テーブルの第二の形態を示す斜視図、図４は部分断面図である。図３に示される組立式テーブルは、一対のスタンド２１，２１と、このスタンド２１，２１の上に跨って、分離可能に載置される天板１２からなる。スタンド２１は、図４に示されるように、断面が略長方形状のスチール平角パイプで製作されたものであって、第一の梁部２１１ａ（例えば長さが700ｍｍ程度）及びその長手方向中央から直角に延びる第二の梁部２１１ｂ（例えば長さが300ｍｍ程度）からなるＴ字形の支持梁部２１１と、第一の梁部２１１ａの両端及び第二の梁部２１１ｂの先端から、それぞれ鉛直下方へ垂直に折れ曲がって延びる互いに平行な三本の脚部２１２〜２１４とを有する三脚構造となっている。
【００２２】
三本の脚部２１２〜２１４は、長さ（高さ）が等しく（例えば700ｍｍ程度）、その下端部が三角形の頂点をなす位置で床面上に当接されるものであり、このため、各スタンド２１は自立可能となっている。また、天板１２は、図１の形態と同様のものである。
【００２３】
各スタンド２１における第一の梁部２１１ａの両端近傍及び第二の梁部２１１ｂの先端近傍には、図４に示されるように、それぞれ上下に貫通した小孔２１１ｃ，２１１ｄが開設されている。このうち上側の小孔２１１ｃは、ビス１３の軸部１３ａよりも大径かつ頭部１３ｂより小径であり、下側の小孔２１１ｄは、前記ビス１３の頭部１３ｂより大径である。
【００２４】
また、支持梁部２１１における上側の小孔２１１ｃには、図２と同様の吸盤１４を、その頭部１４ｃを強引に圧入することによって、図４に示されるように、小径の首部１４ｂが小孔２１１ｃに嵌まり込み、掛合段部１４ｄ（頭部１４ｃ）によって抜け止めされた状態に装着することができるようになっている。
【００２５】
以上の構成を備える組立式テーブル２は、一対のスタンド２１，２１を、天板１２の大きさを考慮して適当な間隔で配置し、このスタンド２１，２１の上端の、Ｔ字形をなす支持梁部２１１，２１１の上に跨って、天板１２を載置することにより、容易に組み立てることができる。この場合、スタンド２１，２１は、図３に示されるように、脚部２１４同士が近接する向きに配置すれば、例えば使用者が天板１２の長辺側あるいは短辺側に不図示の椅子を置いて着座したときに、使用者の足元に所要のスペースが確保されるので、脚部２１４，２１４が邪魔にならない。
【００２６】
また、予め支持梁部２１１，２１１に、それぞれ吸盤１４（各三個、計六個）を図４に示されるように取り付けておくことによって、この吸盤１４の吸盤本体１４ａに、ガラス板からなる天板１２の下面が吸着されるので、天板１２がスタンド２１，２１上で不用意にずれないように、しっかり固定することができる。しかもこの吸盤１４は、ゴム状弾性材料からなるものであるため、僅かな寸法の誤差による天板１２のガタつきを吸収する機能、及び天板１２に加わる衝撃を吸収する機能を奏する。
【００２７】
更に、この形態によれば、各スタンド２１が、第一の梁部２１１ａの両端近傍及び第二の梁部２１１ｂの先端近傍に取り付けられた三個の吸盤１４を介して天板１２を三点支持するため、安定的に支持することができるばかりでなく、図３に示されるように、各スタンド２１を、その脚部２１４同士が近接する向きに配置することによって、第二の梁部２１１ｂの先端近傍に取り付けられた吸盤１４が、天板１２を、その長手方向中間寄りの位置で支持することになるため、天板１２の支持強度を向上することができる。
【００２８】
次に図５は、本考案に係る組立式テーブルの第三の形態を示す斜視図である。この図５に示される組立式テーブル３も、基本的には図３に示される第二の形態と同様、一対のスタンド３１，３１と、このスタンド３１，３１の上に跨って、分離可能に載置される天板１２からなる。スタンド３１は、先の図４と同様の、断面が略長方形状のスチール平角パイプで製作されたものであって、互いに120度の角度をなして略Ｙ字形に延びる三本の支持梁部３１１と、その各先端から、それぞれ鉛直下方へ垂直に折れ曲がって延びる互いに平行な三本の脚部３１２とを有する三脚構造となっている。
【００２９】
三本の支持梁部３１１は長さが等しく（例えば410ｍｍ程度）、三本の脚部３１２は、高さが等しく（例えば700ｍｍ程度）、その下端部が正三角形の頂点をなす位置で床面上に当接されるものであり、このため、各スタンド３１は自立可能となっている。その他の部分の構成は、基本的に図３及び図４と同様である。
【００３０】
したがって、この形態による組立式テーブル３も、基本的には図３及び図４と同様の作用・効果を奏するものである。加えて、この形態においては、スタンド３１における三本の脚部３１２が、正三角形の頂点をなす位置で立設されるため、一層安定的に自立することができ、しかも、支持梁部３１１及び脚部３１２に方向性がないため、組立の自由度を一層高めることができる。
【００３１】
図６は、本考案に係る組立式テーブルの第四の形態を示す斜視図である。この形態の組立式テーブル４は、図５に示されるスタンド３１を一台用いて、その上に、直径900ｍｍ程度の円形のガラス板からなる天板３２を載置したものである。この場合も、スタンド３１の安定した自立性と、正三角形の頂点をなす位置での吸盤１４による三点支持によって、安定的に設置することができる。
【図面の簡単な説明】
【００３２】
【図１】本考案に係る組立式テーブルの第一の形態を示す斜視図である。
【図２】第一の形態における部分断面図である。
【図３】本考案に係る組立式テーブルの第二の形態を示す斜視図である。
【図４】第二の形態における部分断面図である。
【図５】本考案に係る組立式テーブルの第三の形態を示す斜視図である。
【図６】本考案に係る組立式テーブルの第四の形態を示す斜視図である。
【符号の説明】
【００３３】
１〜４    テーブル
１１，２１，３１    スタンド
１１１ａ，１１１ｂ，２１１ｃ，２１１ｄ    小孔
１１２〜１１４，２１２〜２１４，３１２    脚部
１２，３２    天板
１３    ビス
１４    吸盤
【図１】
0003115038.tif 000003
【図２】
0003115038.tif 000004
【図３】
0003115038.tif 000005
【図４】
0003115038.tif 000006
【図５】
0003115038.tif 000007
【図６】
0003115038.tif 000008